(57)【特許請求の範囲】
【請求項１】
素材が、操作部を一体形成した電気絶縁材から成る基体に網状の導体を有して成り、その導体を、配線構成部分を残し、その他の部分から分断すると共に、配線構成部分も所定箇所で分断し、この分断した配線構成部分の両側に、前記操作部の操作による他のコンタクト導体との接触によって導通される別体のコンタクト導体を貼着して接続することにより、前記基体に導体の配線を有すると共にコンタクト導体を有する電気配線体を製造することを特徴とする電気配線体の製造方法。
【発明の詳細な説明】
【０００１】
【発明の属する技術分野】
本発明は、電気絶縁材から成る基体に導体の配線を有する電気配線体を製造する電気配線体の製造方法に関する。
【０００２】
【発明が解決しようとする課題】
従来より、この種の電気配線体としては、プリント配線板が知られている。このプリント配線板は、電気絶縁材から成る基板に、導体の配線を、主としてスクリーン印刷技術やメッキ技術等により、最初から回路のパターンどおりに施したもので、その製造技術の難度の高さから、高価となっていた。
本発明は上述の事情に鑑みてなされたものであり、従ってその目的は、製品価格の低廉化ができる電気配線体の製造方法を提供するにある。
【０００３】
【課題を解決するための手段】
上記目的を達成するために、本発明の電気配線体の製造方法は、素材が、操作部を一体形成した電気絶縁材から成る基体に網状の導体を有して成り、その導体を、配線構成部分を残し、その他の部分から分断すると共に、配線構成部分も所定箇所で分断し、この分断した配線構成部分の両側に、前記操作部の操作による他のコンタクト導体との接触によって導通される別体のコンタクト導体を貼着して接続することにより、前記基体に導体の配線を有すると共にコンタクト導体を有する電気配線体を製造することを特徴とする。
【０００４】
このものによれば、素材に網状に設けられた導体を、配線構成部分を残し、その他の部分から分断するだけで、基体に導体の配線を有する電気配線体を製造できるから、高難度の製造技術を要したプリント配線板に比し、容易に製造でき、従って、安価に提供できる。併せて、配線構成部分も所定箇所で分断し、この分断した配線構成部分の両側にコンタクト導体を貼着して接続するだけで、基体に上記導体の配線と共にコンタクト導体を有する電気配線体を製造できる。
【０００５】
【発明の実施の形態】
以下、本発明の第１実施例につき、図１ないし図５を参照して説明する。
まず、図２には素材１を示している。この素材１は、基体２に、導体３を一体に設けて成るもので、基体２は、例えばシリコンゴム等の電気絶縁材から、この場合、矩形の板状に形成したものであり、６箇所に操作部４を有している。この操作部４は、図５に示すように、上面が基体２の上面より高い円柱状を成すもので、それぞれ、周囲部を薄肉部５により基体２と連ねている。
【０００６】
一方、導体３は網状の導電性金属で、これを基体２の操作部４を含む表面、この場合、下面に貼着して一体化している。
このような素材１に対して、図３及び図４に示すように、導体３を、配線構成部分３ａを残し、その他の部分から分断Ｃ１をする加工を施す。この加工は、図示しない切断型により一度に行う。又、この場合、基体２の操作部４の直下においては、導体３を、操作部４から薄肉部５の平面投影形状（この場合、円形）に除去すると共に、導体３の配線構成部分３ａをも分断Ｃ２する。更に、配線構成部分３ａの端部部分においては、それらが図示のごとく整列するように分断Ｃ３をする。なお、３ｂは、導体３の、配線構成部分３ａから分断されて残った部分を示している。
【０００７】
この後、上記基体２の操作部４の直下における配線構成部分３ａ分断部分の両側に、コンタクト導体６を貼着して接続する。図１は、このようにして製造した電気配線体７を示しており、基体２、特にこの場合、その下面に導体３の配線（配線構成部分３ａ）を有しており、そのほか、コンタクト導体６を有している。
【０００８】
そして、図５は、スイッチ装置８における電気配線体７の組込み例を示しており、絶縁基板９上に電気配線体７を配置している。絶縁基板９は、上面に上記コンタクト導体６と対応するコンタクト導体１０を有しており、基体２の操作部４を操作者が例えば図示しない操作ノブにより押圧操作することによって、コンタクト導体６がコンタクト導体１０に接触して導通されるようになっている。
【０００９】
なお、図５において、そのほか、１１は電気配線体７の配線構成部分３ａの端部に接続して絶縁基板９の下方に配した回路基板を示しており、この回路基板１１には、上面に各種電子部品１２を実装し、下面にコネクタ１３を設けている。
【００１０】
このように本構成のものでは、素材１が、電気絶縁材から成る基体２に網状の導体３を有して成り、その導体３を、配線構成部分３ａを残し、その他の部分から分断Ｃ１をすることにより、上記基体２に導体３の配線（配線構成部分３ａ）を有する電気配線体７を製造するもので、従来のプリント配線板で要したスクリーン印刷技術やメッキ技術等の高難度の製造技術を要することなく必要な電気配線体７を製造できるから、容易に製造でき、従って、安価に提供することができる。
【００１１】
特に、電気絶縁材から成る基体２に網状の導体３を有して成る素材１は、電気配線体７の配線構成部分３ａのパターンが種々異なるものに使用が可能な汎用品たるものであり、これを導体３の分断Ｃ１をするだけで、その配線構成部分３ａのパターンの種々異なる電気配線体７を製造できるので、より安価に提供することができる。
【００１２】
以上に対して、図６は本発明の第２実施例を示すもので、第１実施例と同一の部分には同一の符号を付して説明を省略し、異なる部分についてのみ述べる。  このものの場合、素材の基体２１が周囲部分で第１実施例の素材１の基体２より厚く、これの材肉中に導体２２（配線構成部分）を設けている。又、この場合、コンタクト導体２３は基体２２の薄肉部５から離間させて設けている。
このようにしても第１実施例と同様の作用効果を得ることができる。
そのほか、本発明は上記し且つ図面に示した実施例にのみ限定されるものではなく、特に素材の基体は板状のものに限られないなど、要旨を逸脱しない範囲内で適宜変更して実施し得る。
【００１３】
【発明の効果】
以上説明したように、本発明の電気配線体の製造方法によれば、素材に網状に設けられた導体を、配線構成部分を残し、その他の部分から分断するだけで、基体に導体の配線を有する電気配線体を製造できるから、高難度の製造技術を要したプリント配線板に比し、容易に製造でき、従って、安価に提供できるという効果が得られる。又、配線構成部分も所定箇所で分断し、この分断した配線構成部分の両側にコンタクト導体を貼着して接続するだけで、基体に上記導体の配線と共にコンタクト導体を有する電気配線体を製造できるという効果も得られる。
【図面の簡単な説明】
【図１】本発明の第１実施例を示す電気配線体製品の下面図
【図２】素材の下面図
【図３】素材の加工途中状態の下面図
【図４】図３の一部の拡大図
【図５】電気配線体製品を組み込んだスイッチ装置の縦断面図
【図６】本発明の第２実施例を示す図５相当図
【符号の説明】
１は素材、２は基体、３は導体、３ａは配線構成部分、４は操作部、６はコンタクト導体、７は電気配線体、１０はコンタクト導体（他のコンタクト導体）、Ｃ１，Ｃ２は分断加工、２１は基体、２２は導体を示す。
【図１】
0004290926.tif 000002
【図２】
0004290926.tif 000003
【図３】
0004290926.tif 000004
【図４】
0004290926.tif 000005
【図５】
0004290926.tif 000006
【図６】
0004290926.tif 000007